(57)【要約】【課題】保護対象が危険な場所に入ってしまうのを未然に防止するための保護対象追跡システムを提供する。【解決手段】保護者Ｙが保護者端末８から保護対象追跡システム１に公衆網７を介してアクセスして、電力線通信網２内を移動する携帯型通信装置３を保護対象追跡システム１に探索させる。そして、保護対象追跡システム１が、携帯型通信装置３の現在位置等の情報を保護者端末８に公衆網７を介して送信し、保護者端末８でその情報を提示して、保護者Ｙが保護対象Ｘの危険度を判定できるようにした。【選択図】図１
2009064222.tif 000002
【特許請求の範囲】
【請求項１】
保護対象が付帯する携帯型通信装置からの信号に基づいて前記携帯型通信装置の現在位置を推定し、推定した前記携帯型通信装置を付帯する前記保護対象を追跡する保護対象追跡システムであって、
前記携帯型通信装置から送信される信号に基づいて当該携帯型通信装置の現在位置を推定する現在位置推定手段と、
前記現在位置推定手段によって推定された現在位置にいる前記保護対象が、前記危険エリアに向かっているか否かを判定する危険エリア判定手段とを備えたことを特徴とする保護対象追跡システム。
【請求項２】
ディスプレイ画面に地図イメージを表示し、前記保護対象を追跡する範囲としての保護エリア内に、前記保護対象にとって危険な場所としての危険エリアを前記地図イメージ上に指示する入力を支援するエリア入力支援手段を備えたことを特徴とする請求項１に記載の保護対象追跡システム。
【請求項３】
前記危険エリアの危険度を設定する危険度設定画面を表示し、前記危険度の設定入力を支援する危険度設定入力支援手段をさらに備えたことを特徴とする請求項１又は請求項２に記載の保護対象追跡システム。
【請求項４】
前記危険エリア判定手段は、前記携帯型通信装置の移動に従って前記危険度が高くなるときに、危険エリアに近づいていると判定することを特徴とする請求項３に記載の保護対象追跡システム。
【請求項５】
前記危険エリア判定手段は、前記現在位置推定手段によって推定された現在位置と過去に推定された履歴位置とから、現在の進行方向を推定し、現在位置にいる保護対象が危険エリアに向かっているか否かを判定することを特徴とする請求項３に記載の保護対象追跡システム。
【請求項６】
前記危険エリアにおいて前記保護対象が危険な状況になる可能性のある危険時間を設定する危険時間設定画面を表示し、危険時間の設定入力を支援する危険時間設定入力支援手段と、
前記携帯型通信装置から送信される信号に基づいて、前記現在位置における現在時刻を特定する現在時刻特定手段とをさらに備え、
前記危険エリア判定手段が、前記現在位置における現在時刻と前記危険時間とを比較して、前記保護対象が危険な状況になる可能性のある時間か否かを判定することを特徴とする請求項１から請求項５までのいずれか１項に記載の保護対象追跡システム。
【請求項７】
前記危険時間設定入力支援手段は、日付、曜日、時刻及び時間帯の中のいずれかによって表される前記危険時間を入力することを特徴とする請求項６に記載の保護対象追跡システム。
【請求項８】
前記危険エリアにおいて前記保護対象が危険な状況になる可能性のある危険速度を設定する危険速度設定画面を表示し、危険速度の設定入力を支援する危険速度設定入力支援手段と、
前記携帯型通信装置から送信される信号に基づいて、前記現在位置における現在時刻を特定し、特定した現在時刻を基準にした単位時間当たりに移動した距離を算出して、前記現在位置における現在速度を算出する速度算出手段とをさらに備え、
前記危険エリア判定手段が、前記速度算出手段によって算出された前記現在速度と前記危険速度とを比較して、前記保護対象が危険な状況になる可能性のある速度か否かを判定することを特徴とする請求項１から請求項７までのいずれか１項に記載の保護対象追跡システム。
【発明の詳細な説明】
【技術分野】
【０００１】
本発明は、保護対象を追跡する技術に関する。
【背景技術】
【０００２】
従来の保護対象追跡システムとしては、ＧＰＳ（Global Positioning System）機能を搭載した携帯電話を利用したものが知られている（例えば、特許文献１参照）。
【特許文献１】特開２００６−３３０８８５号公報
【発明の開示】
【発明が解決しようとする課題】
【０００３】
前記特許文献１に記載の技術では、ＧＰＳ機能を利用して携帯電話の現在位置を測位して保護者の端末に通知し、その端末画面上の地図イメージに現在位置を表示するだけなので、保護者は、保護対象が危険な場所にいる否かをその都度判断しなければならない。そのため、保護対象が危険な場所に移動してしまうのを未然に防止することができない。
【０００４】
そこで、本発明は、保護対象が危険な場所に進入してしまうのを未然に防止できるようにすることを目的とする。
【課題を解決するための手段】
【０００５】
本発明は、保護対象が付帯する携帯型通信装置からの信号に基づいて前記携帯型通信装置の現在位置を推定し、推定した前記携帯型通信装置を付帯する前記保護対象を追跡する保護対象追跡システムであって、前記携帯型通信装置から送信される信号に基づいて当該携帯型通信装置の現在位置を推定する現在位置推定手段と、前記現在位置推定手段によって推定された現在位置にいる前記保護対象が、前記危険エリアに向かっているか否かを判定する危険エリア判定手段とを備えるようにしたことを特徴とする。
【０００６】
そのため、この保護対象追跡システムによれば、現在位置にいる保護対象が危険エリアに向かっているか否かを判定することが可能になるため、保護対象が危険エリアに入ってしまうのを未然に防止することも可能になる。
【０００７】
また、本発明は、ディスプレイ画面に地図イメージを表示し、前記保護対象を追跡する範囲としての保護エリア内に、前記保護対象にとって危険な場所としての危険エリアを前記地図イメージ上に指示する入力を支援するエリア入力支援手段を備えるようにしたことを特徴とする。
【０００８】
そのため、この保護対象追跡システムでは、エリア入力支援手段によって、危険エリアをユーザに定義させることができる。したがって、この保護対象追跡システムによれば、保護対象にとっての危険エリア（危険な場所）を、保護対象の属性（年齢・性別等）や周辺の状況に合わせて細かく適宜設定できるようになる。
【０００９】
また、本発明は、前記危険エリアの危険度を設定する危険度設定画面を表示し、前記危険度の設定入力を支援する危険度設定入力支援手段をさらに備えたことを特徴とする。
【００１０】
そのため、この保護対象追跡システムでは、危険度設定入力支援手段によって、危険度をユーザに定義させることができる。
【００１１】
本発明は、前記危険度設定入力支援手段は、前記携帯型通信装置の移動に従って前記危険度が高くなるときに、危険エリアに近づいていると判定するようにしたことを特徴とする。
【００１２】
そのため、この保護対象追跡システムでは、保護対象が危険エリアに向かっているか否かを判定できる。
【００１３】
また、本発明は、危険エリア判定手段は、前記現在位置推定手段によって推定された現在位置と過去に推定された履歴位置とから、現在の進行方向を推定し、現在位置にいる保護対象が危険エリアに向かっているか否かを判定するようにしたことを特徴とする。
【００１４】
そのため、この保護対象追跡システムでは、危険エリア判定手段によって、現在の進行方向を推定し、危険エリアに向かっているか否かを判定することができる。
【００１５】
また、本発明は、前記危険エリアにおいて前記保護対象が危険な状況になる可能性のある危険時間を設定する危険時間設定画面を表示し、危険時間の設定入力を支援する危険時間設定入力支援手段と、前記携帯型通信装置から送信される信号に基づいて、前記現在位置における現在時刻を特定する現在時刻特定手段とをさらに備え、前記危険エリア判定手段が、前記現在位置における現在時刻と前記危険時間とを比較して、前記保護対象が危険な状況になる可能性のある時間か否かを判定するようにしたことを特徴とする。
【００１６】
そのため、この保護対象追跡システムでは、危険時間設定入力支援手段によって、危険時間をユーザに定義させることができ、現在時刻特定手段によって、推定された現在位置の現在時刻が特定され、危険エリア判定手段によって、現在時刻と危険時間とを比較して、保護対象が危険な状況になる可能性のある時間か否かを判定することができる。
【００１７】
また、本発明は、前記危険時間設定入力支援手段は、日付、曜日、時刻及び時間帯の中のいずれかによって表される前記危険時間を入力するようにしたことを特徴とする。
【００１８】
そのため、この保護対象追跡システムでは、危険時間設定入力支援手段によって、日付、曜日、時刻及び時間帯の中のいずれかによって危険エリアの危険な時間を定義することができる。
【００１９】
また、本発明は、前記危険エリアにおいて前記保護対象が危険な状況になる可能性のある危険速度を設定する危険速度設定画面を表示し、危険速度の設定入力を支援する危険速度設定入力支援手段と、前記携帯型通信装置から送信される信号に基づいて、前記現在位置における現在時刻を特定し、特定した現在時刻を基準にした単位時間当たりに移動した距離を算出して、前記現在位置における現在速度を算出する速度算出手段とをさらに備え、前記危険エリア判定手段が、前記速度算出手段によって算出された前記現在速度と前記危険速度とを比較して、前記保護対象が危険な状況になる可能性のある速度か否かを判定するようにしたことを特徴とする。
【００２０】
そのため、この保護対象追跡システムでは、危険速度設定入力支援手段によって、危険速度をユーザに定義させることができ、速度算出手段によって、現在位置における現在速度を算出し、危険エリア判定手段によって、現在時刻と危険速度とを比較して、保護対象が危険な状況になる可能性ある速度か否かを判定することができる。
【発明の効果】
【００２１】
したがって、本発明によれば、保護対象が危険な場所に進入してしまうのを未然に防止できる。
【発明を実施するための最良の形態】
【００２２】
以下、本発明の実施形態について図面を参照して説明する。
図１は、実施形態の保護対象追跡システムが接続する保護対象追跡ネットワークの概念を示す説明図である。保護対象追跡ネットワーク１００は、保護対象追跡システム１と、携帯型通信装置３と、保護対象追跡システム１及び携帯型通信装置３の間を通信可能に接続する電力線通信網２と、保護者端末８と、保護対象追跡システム１及び保護者端末８の間を通信可能に接続する公衆網７とを主に含むネットワークとして構築されている。
【００２３】
なお、携帯型通信装置３を付帯する保護対象Ｘとしては、児童、障害者、高齢者等の社会的弱者と呼ばれている者を対象とする。また、保護者端末８を操作する保護者Ｙとしては、親、家族、教師、医師、介護福祉士等のように保護対象Ｘを監督する立場にある者を対象とする。なお、保護対象Ｘは、犬等の動物や自動車自体等の移動体であってもよい。
【００２４】
保護対象追跡システム１は、携帯型通信装置３からの信号に基づいて携帯型通信装置３の現在位置を推定し、推定した携帯型通信装置３を付帯する保護対象Ｘを追跡し、保護者端末８に追跡結果を送信することによって、保護者Ｙに保護対象Ｘの位置等の追跡情報を提供し、保護対象Ｘが危険エリアに進入するのを未然に防ぐようにするものである。この保護対象追跡システム１は、一般的なコンピュータでよく、ＣＰＵ、記憶装置、インタフェース等（いずれも不図示）を備え、呼出処理や位置推定処理等のアプリケーションプログラムを実行する機能を備えている。なお、この保護対象追跡システム１の機能構成については、図３を用いて後述するものとし、図１の説明を続ける。
【００２５】
電力線通信網２は、街中等に設置されている電柱に架設された電力線を利用して、保護対象追跡システム１と携帯型通信装置３との間で通信可能にしたものである。その原理については、図２を用いて説明することとし、図１の説明を続ける。
【００２６】
携帯型通信装置３は、電力線通信網２を構成する電力線との間で電波の送受信を行って、電力線通信網２に接続する保護対象追跡システム１との間で通信を行うものである。この携帯型通信装置３は、電力線通信網２の電力線から発信される電波を受信し、電力線に向けて電波を送信可能なものであればどのようなものでもよい。例えば、携帯電話、ＲＦＩＤ（Radio Frequency IDentification）タグ（以下「ＲＦタグ」と称す。）であってもよい。
【００２７】
また、この携帯型通信装置３には、個別に付与された個体識別可能な識別情報が保持されている。例えば、ＲＦタグの場合、電波受信後、その電波自体を電力とするとともに、受信信号を識別情報で変調して、発信する。また、携帯型通信装置３は、図示しない、全体の処理を司る処理部と、通信を制御する通信部と、自身を識別する固有の識別情報（タグＩＤ等）を記憶した記憶部と、コイン型電池等の電源と、設定周波数の信号としての電波（例えば９５０ＭＨｚ帯域）を送受信するアンテナとを備えている。
【００２８】
公衆網７は、保護対象追跡システム１と保護者端末８とが通信可能なネットワークであれば、どのようなものでもよく、一般に敷設されている固定電話回線網、ケーブルテレビ網等の有線網であっても、携帯電話回線網や無線ＬＡＮ（Local Area Network）のような無線網であってもよい。なお、公衆網７は、電力線通信網２と同様に、電力線通信網としてもよい。
【００２９】
保護者端末８は、公衆網７を介して保護者追跡システム１にアクセス可能であれば、どのようなものであってもよく、例えば、パーソナルコンピュータや携帯電話等の各種情報通信端末である。なお、この保護者端末８は、記憶部に記憶されたブラウザやＲＡＳ暗号等のアプリケーションを処理部（不図示）が実行して、保護対象追跡システム１にアクセスし、種々の入力・出力・表示処理を実行する機能を備えている。
【００３０】
ところで、図１中、符号９は、乗り物であり、保護対象Ｘが乗車するためのものである。この乗り物９は、自転車、乗用車、バス、電車等のいずれでもよい。なお、この乗り物９が移動中であっても、この乗り物９に乗車した保護対象Ｘが所持する携帯型通信装置３と電力線通信網２（電力線（不図示））との間で電波の送受信が可能である。
【００３１】
以上の保護対象追跡ネットワーク１００では、保護者Ｙが保護者端末８から保護対象追跡システム１に公衆網７を介してアクセスして、電力線通信網２内を移動する携帯型通信装置３を保護対象追跡システム１に探索させる。そして、保護対象追跡システム１が、携帯型通信装置３の現在位置等の情報を保護者端末８に公衆網７を介して送信し、保護者端末８でその情報を提示して、保護者Ｙが保護対象Ｘの危険度を判定できるようになっている。
【００３２】
さらに、この保護対象追跡システム１は、保護者端末８からの危険エリア等の入力を支援している。また、保護対象追跡システム１は、保護対象Ｘが危険エリアへ進入するのを未然に判定して、その判定結果を保護者Ｙに提供するようになっている。そのため、保護者Ｙが、電話等の通信手段を用いて保護対象Ｘを呼び出し、危険を回避させることが可能になっている。以下、保護対象追跡ネットワーク１００を構成する各部の機能構成について説明する。まず、図２に示す概念図に従って、電力線通信網２の構成を簡単に説明する。
【００３３】
この電力線通信網２では、保護対象Ｘに付帯される携帯型通信装置３（ｎ）が、電力線５からの電波に含まれる設定周波数成分を受信し、設定周波数の電波を送信して、送信した設定周波数の電波を電力線５に受信させるようになっている。電力線５は、電柱４（１）、４（２）、…、４（１１）にそれぞれ掛け渡されている。なお、実施形態では、任意の電柱４（ｎ）と表すこととする。
【００３４】
保護対象追跡システム１は、携帯型通信装置３（ｎ）の呼出処理や位置推定処理等のアプリケーションプログラムを実行する。呼出処理では、保護対象追跡システム１が、そのアプリケーションプログラムの実行によって、第１信号及び逆位相の第２信号を電力線５に伝送させて、電力線５からの電波に乗せた設定周波数の第１信号及び第２信号によって携帯型通信装置３（ｎ）を呼び出す。また、位置推定処理では、保護対象追跡システム１が、そのアプリケーションプログラムの実行によって、第１信号及び第２信号のいずれも送信した時刻と呼出対象の携帯型通信装置３（ｎ）の識別情報を含む応答信号を受信した最短の時刻とから伝送時間を求め、求めた伝送時間と電力線５に固有の伝送速度とに応じて、携帯型通信装置３（ｎ）の位置までの距離を求め、保護対象Ｘの位置を推定する。
【００３５】
また、この保護対象追跡システム１は、携帯型通信装置３（ｎ）から送信された識別情報（及び時刻情報（受信時刻））を含む応答信号を受信し、保護者端末８（図１参照）に転送する。また、この保護対象追跡システム１は、呼出情報の送信時刻と携帯型通信装置３（ｎ）の呼出情報の受信時刻とに基づく伝送時間と、電力線５に固有の信号の伝送速度とから伝送距離、すなわち、保護対象追跡システム１から携帯型通信装置３（ｎ）までの距離を求めて、携帯型通信装置３（ｎ）の位置を推定する。
【００３６】
そのため、保護対象追跡システム１は、携帯型通信装置３（ｎ）の受信結果を保護者端末８のディスプレイ画面上に提示させて、携帯型通信装置３（ｎ）を呼び出し、保護者Ｙに携帯型通信装置３（ｎ）の位置を推定させるようにするだけでなく、携帯型通信装置３（ｎ）の位置の推定処理を実行する。以下、この実施形態では、保護対象追跡システム１が、第１信号及び第２信号を送信して携帯型通信装置３（ｎ）を呼び出し、その位置の推定処理を実行し、その推定処理結果、さらに、危険エリアか否か等のエリア情報を保護者端末８に送信するものとして説明する。
【００３７】
なお、系統Ａ、系統Ｂは、高圧配電線が２系統ある場合に、これらを区別する標識であり、図２を参照すると、保護対象追跡システム１から変圧器６（１）に接続する側を系統Ａ、保護対象追跡システム１から変圧器６（２）に接続する側を系統Ｂとしている。また、送信時刻は、保護対象追跡システム１が第２信号を電力線（高圧配電線）５に伝送した時刻を示している。また、受信時刻は、携帯型通信装置３（ｎ）が応答信号を電力線（高圧配電線）５から受信した時刻を示している。なお、受信時刻は、携帯型通信装置３（ｎ）が同一の呼出情報を最初に受信した時刻とする。このとき、伝送距離が最短経路となる。
【００３８】
次に、保護対象追跡システム１の構成について説明する。図３は、図１に示す実施形態の保護対象追跡システムの機能構成を示すブロック図である。この保護対象追跡システム１は、現在位置推定手段１０と、選択指示手段１１と、危険エリア判定手段１２と、エリア入力支援手段１３と、危険度設定入力支援手段１４と、危険時間設定入力支援手段１５と、現在時刻特定手段１６と、危険速度設定入力支援手段１７と、速度算出手段１８と、記憶手段１９と、報知指示手段２０と、通信手段２１と、周辺情報取得手段２２とを主に備えている。
【００３９】
現在位置推定手段１０は、携帯型通信装置３から送信される信号に基づいて携帯型通信装置３の現在位置を推定するものである。この現在位置推定手段１０は、前記呼出処理及び前記推定処理を実行することで機能を実現する。
【００４０】
選択指示手段１１は、保護者Ｙが保護者端末８から保護対象追跡システム１にアクセスしたときに、保護者端末８のディスプレイ画面上に初期選択画面を表示させ、その初期選択画面上で表示された指示やＩＤやパスワード（ＰＡＳＳ）等の情報を認証し、「エリア，条件入力」又は「追跡開始」のいずれかに処理を移す機能を備えている。
【００４１】
なお、初期選択画面には、例えば、図７Ａ（ａ）に示すように、「選択してください。」等の指示メッセージ、「エリア，条件入力」選択ボタン、「追跡開始」ボタン、保護者Ｙ等の契約者を示すＩＤのＩＤ入力フィールドＦ１、及び、パスワードのＰＡＳＳ入力フィールドＦ２等が表示される。
【００４２】
危険エリア判定手段１２は、現在位置推定手段１０によって推定された現在位置にいる保護対象Ｘが、危険エリアに向かっているか否かを判定するものである。つまり、危険エリア判定手段１２は、危険エリアの周辺を次第に危険度が低くなるようにランク分けされている場合には、携帯型通信装置３の移動に従って危険エリアごとに次第に危険度が高くなるときに、危険エリアに近づいていると判定する。
【００４３】
また、危険エリア判定手段１２は、現在位置推定手段１０によって推定された現在位置と過去に推定された履歴位置とから、現在の進行方向を推定し、現在位置にいる保護対象Ｘが危険エリアに向かっているか否かを判定するようにしてもよい。また、危険エリア判定手段１２は、現在位置における現在時刻と危険時間とを比較して、保護対象Ｘが危険な状況になる可能性のある時間か否かを判定する。さらに、危険エリア判定手段１２は、速度算出手段１８によって算出された現在速度と危険速度とを比較して、保護対象Ｘが危険な状況になる可能性のある速度か否かを判定する。
【００４４】
エリア入力支援手段１３は、図７Ａ（ｂ）に示すように、保護者端末８のディスプレイ画面上にエリア入力画面を表示させる。そして、エリア入力支援手段１３は、保護者端末８からの指示に基づいて、保護対象Ｘを通常追跡する範囲の地図イメージを記憶手段１９の地図ＤＢを参照して生成して、エリア入力画面内のウィンドウに地図イメージを表示させる。その後、エリア入力支援手段１３は、保護者端末８からの指示に基づいて保護エリアを設定する。この実施形態では、保護対象Ｘを追跡する範囲としての保護エリアは、エリア入力画面内のウィンドウ内に表示されている地図イメージ全体とする。
【００４５】
エリア入力支援手段１３は、保護者端末８からの指示に基づいて、その保護エリア内に、保護対象Ｘにとって危険な場所としての危険エリアを設定する。なお、この危険エリアの設定方法は、後に述べる。そして、エリア入力支援手段１３は、保護者端末８から送信された地図イメージ上に対応する危険エリアを設定し、記憶手段１９に登録する。
【００４６】
なお、保護者端末８のディスプレイ画面上には、例えば、図７Ａ（ｂ）に示すように、エリア入力画面が表示される。このエリア入力画面には、「地図上で，エリアを指定してください。」等の指示メッセージ、及び、地図イメージの表示ウィンドウＷ等が表示される。この実施形態では、表示ウィンドウＷには、家（自宅）ｍ０、工事中の敷地ｍ１、学校ｍ３、塾ｍ７、及び、それらに導く道が示されている。
【００４７】
なお、この実施形態では、図７Ａ（ｂ）に示す表示ウィンドウＷ自体を保護エリアとする。つまり、表示ウィンドウＷ内の全域が保護エリアである。この保護エリアは、保護対象Ｘを追跡して監視する領域である。また、この保護エリアは、表示ウィンドウＷ内に表示される地図イメージ内の一部の領域を設定するようにしてもよい。例えば、地図イメージ上に表示されている道のみを保護エリアとして設定するようにしてもよい。
【００４８】
なお、危険エリアの設定は、例えば、図７Ａ（ｃ）に示すように、家ｍ０、敷地ｍ１、学校ｍ３、塾ｍ７等の敷地や建物ごとに行える。例えば、保護者端末８のディスプレイ画面上において、敷地ｍ１の領域にポインタを移動させ、左クリックすることによって、保護者端末８では敷地ｍ１が選択される。その後、その位置情報が保護者端末８から保護対象追跡システム１に送信され、エリア入力支援手段１３によって、記憶手段１９に記憶される。ところで、図７Ａ（ｃ）では、工事中のｍ１と道ｍ４とが危険エリアとして指定されている様子を示している（ハッチング参照）。ハッチングの他には、色を変化させることによっても、また、点滅表示させることによって行うことも可能である。
【００４９】
また、矢印で示す道ｍ２は、保護対象Ｘとしての子供が家（自宅）ｍ０及び学校ｍ３の間を移動する予定経路、つまり通学路を表している。この道ｍ２は、道ｍ２の一端側（学校ｍ３側）にポインタを位置させ、ポインティングデバイスの選択ボタン（マウスならば左クリックボタン）を押下したまま道ｍ２に沿ってポインタを移動させ、道ｍ２の他端側（家ｍ０側）に移動させて、押下を解除することによって、指定することが可能である。なお、通学路としての道ｍ２は、その危険度を通常を表すＣに設定することで、危険エリアの一つとして設定することが可能である。その危険度は保護者端末８から保護対象追跡システム１に転送され、エリア入力支援手段１３によって、記憶手段１９に記憶される。
【００５０】
ところで、図７Ａ（ｃ）中に、他の予定経路を設定する場合にも、道ｍ２と同じようにして、図７Ｂ（ｈ）に示すように、予定経路である道ｍ８を設定することができる。この道ｍ８は、道ｍ２との分岐点から塾ｍ７までの間を表している。
【００５１】
また、図７Ａ（ｄ）に示すように、工事中の敷地ｍ１は、四つのポインタ「○」印の囲む領域として指定されている。また、通学路の道ｍ２上にある交差点に位置する「○」印を中心にした設定半径内の領域（破線円）が、危険エリアを示す交差点ｍ６として指定されている。図３に戻って、説明を続ける。
【００５２】
危険度設定入力支援手段１４は、危険エリアの危険度を設定する危険度設定画面を保護者端末８に表示させ、危険度の設定入力を支援するアプリケーションを保護者端末８に送信する。そして、危険度設定入力支援手段１４は、保護者端末８から送信された危険エリアに対応する危険度を、先に設定された危険エリアに対応付けて記憶手段１９に登録する。ランク分けは、危険エリアの周辺を次第に危険度が低くなるように設定されることが望ましい。なお、保護者Ｙ自身が、危険エリアの周辺を次第に危険度が低くなるように危険度を指定した場合には、危険度設定入力支援手段１４は、その指定通りに、記憶手段１９に登録する。
【００５３】
ここで、条件（ランク）の設定方法について説明する。この場合、図７Ａ（ｃ）や図７Ａ（ｄ）のエリア指定例を示す画面中で、危険エリアとして指定されている部分をクリックして選択することで、ランクを設定するエリアを指定することができる。なお、エリアの指定後、ランクを設定する指令を入力するようにしてもよい。また、指定エリアの他の条件設定後、ランクを設定する指令を入力するようにしてもよい。エリアの指定後、保護者端末８のディスプレイ画面は、図７Ａ（ｅ）の条件（ランク）設定画面に遷移する。
【００５４】
図７Ａ（ｅ）には、条件（ランク）設定画面の一例が示されている。この条件（ランク）設定画面には、「指定したエリアの危険度を設定してください」等の指示メッセージ、「指定エリア」の名称等の個別識別名を表示する名称フィールドＦ３、指定されたエリアのランクを設定するランク設定フィールドＦ４、及び、交差点ｍ６を提示した地図イメージを示した表示ウィンドウＷが表示されている。図７Ａ（ｅ）の場合、名称フィールドＦ３には「ｍ６」のように個別識別名が提示されている。つまり、ランク設定フィールドＦ４では、交差点ｍ６における危険なランクの入力が支援されている。ここでは、「Ａ」のランクが設定されている。設定の確定は、例えば、エンタキーの押下によって行えばよい。
【００５５】
なお、危険度は、例えば、Ａ＞Ｂ＞Ｃの順にランクが低くなり、さらに、Ａ＞Ａ１＞Ａ２＞…の順にランクが低くなるように定義しておく。ここで、Ｃは、通常危険度を示すランク（つまり、通常ならば安全であることを示すランク）であることを意味するものとする。このように設定されているときに、例えば、危険度がＣからＢに移ったときには、危険度がＡの危険エリアに進行している。そのため、危険エリア判定手段１２は、危険度がＣからＢに移ったときに、保護者端末８に危険度が高くなったことを通知する。したがって、保護者Ｙは、保護対象ＸがＡの危険度の危険エリア（危険な場所）に進入してしまう前に知ることができるため、その進入を未然に防止することができる。
【００５６】
ところで、図７Ｂ（ｉ）に示すように、表示ウィンドウＷ内に表示されている地図イメージ上の指定エリアに、Ｃ、Ｂ、Ａ、Ａ１、Ａ２、Ａ３等のランクを表す記号を対応付けて、各ランクを表示すればよい。この場合、危険エリア判定手段１２は、例えば、保護対象Ｘが、通学路としての道ｍ２を通行中に、工事中の敷地ｍ１に近づいている場合、危険度はＣからＢ（領域ｍ５）に変化するため、その変化を判定して、保護者端末８に通知する。そのため、保護者Ｙは、保護対象Ｘの所持する携帯電話等に電話やメールして、注意を促すことができる。
【００５７】
なお、エリア入力支援手段１３は、任意の危険エリアが高い危険度に指定された場合、その危険エリアを中心にして、同心円状に危険度が低くなるように、自動的に設定するようにしてもよい。もちろん、保護者Ｙの操作に基づいて、高い危険度の危険エリアから同心円状に危険度が低くなるように設定してもよい。ところで、危険度の表示は、ディスプレイ画面上で、区別できるように異なる色で表すようにしてもよい。
【００５８】
危険時間設定入力支援手段１５は、危険エリアにおいて保護対象Ｘが危険な状況になる可能性のある危険時間を設定する条件（時間）設定画面を保護者端末８のディスプレイ画面上に表示させ、危険時間の設定入力を支援するアプリケーションを保護者端末８に送信するものである。また、この危険時間設定入力支援手段１５は、保護者端末８から送信された危険時間を危険エリアに対応付けて記憶手段１９に登録する。
【００５９】
ここで、条件（時間）設定画面（危険時間設定画面）について説明する。この場合も、図７Ａ（ｃ）や図７Ａ（ｄ）のエリア指定例を示す画面中で、危険エリアとして指定されている部分をクリックして選択させることで、危険時間を設定するエリアを指定することができる。なお、エリアの指定後、危険時間を設定する指令を入力するようにしてもよい。また、指定エリアの他の条件設定後、危険時間を設定する指令を入力するようにしてもよい。エリアの指定後、保護者端末８のディスプレイ画面は、図７Ａ（ｆ）の条件（時間）設定画面に遷移する。
【００６０】
図７Ａ（ｆ）には、条件（時間）設定画面の一例が示されている。この条件（時間）設定画面には、「指定したエリアの危険時間を設定してください」等の指示メッセージ、「指定エリア」の名称等の個別識別名を表示する名称フィールドＦ５、指定されたエリアの危険な時刻を設定する時刻設定フィールドＦ６、指定されたエリアの危険な時間帯を設定する時間帯設定フィールドＦ７、及び、交差点ｍ６を提示した地図イメージを示した表示ウィンドウＷが表示されている。
【００６１】
図７Ａ（ｆ）の場合、名称フィールドＦ５には「ｍ６」のように個別識別名が提示されている。つまり、時刻設定フィールドＦ６では、交差点ｍ６における危険な時刻の入力が支援されている。ここでは、ブランクになっている。また、時間帯設定フィールドＦ７では、交差点ｍ６における危険な時間帯の入力が支援されている。ここでは、「ｐｍ６」の時間帯が設定されている。
【００６２】
なお、時刻設定フィールドＦ６及び時間帯設定フィールドＦ７のいずれか一方に入力された場合に、その入力された方を優先して選択して設定するものとする。この場合も、設定の確定は、例えば、エンタキーの押下によって行えばよい。ところで、危険時間として設定する時刻や時間帯の他に、例えば、日付や曜日によって指定エリアの危険度を定義するようにしてもよい。例えば、道の場合、交通量の多い時刻や時間帯を指定することで、保護対象Ｘが、その時刻や時間帯に指定エリアとしての道を通らないように電話等の通信手段を利用して指示することが可能になる。また、日付や曜日であれば、指定エリア（危険エリア）内で何らかの催し物があって、保護対象Ｘとしての子供が立ち寄るのが好ましくないような場合に、その指定エリアに子供が立ち寄らないように電話等の通信手段を利用して指示することが可能になる。
【００６３】
現在時刻特定手段１６は、携帯型通信装置３から送信される信号に基づいて、現在位置における現在時刻を特定するものである。そのため、現在時刻特定手段１６は、時計機能を備えている。この現在時刻特定手段１６は、特定した現在時刻情報を危険エリア判定手段１２に出力している。このとき、危険エリア判定手段１２は、探索している現在のエリアのランクがＣ以外の場合やランクが次第に悪くなるように遷移する場合などに、危険の到来の可能性が有り、危険であると判定し、保護者端末８に判定結果を送信する。これによって、保護者Ｙが保護対象Ｘの危険性を未然に把握できるため、危険の回避を保護対象Ｘに促すように、そのランクの危険時間が到来したことなどを把握させることが可能になる。
【００６４】
危険速度設定入力支援手段１７は、危険エリアにおいて保護対象Ｘが危険な状況になる可能性ある危険速度を設定する条件（速度）設定画面（危険速度設定画面）を保護者端末８のディスプレイ画面上に表示させ、危険速度の設定入力を支援するアプリケーションを保護者端末８に送信するものである。また、この危険速度設定入力支援手段１７も、保護者端末８から送信された危険速度を指定エリアに対応付けて記憶手段１９に登録する。
【００６５】
ここで、条件（速度）設定画面について説明する。この場合も、図７Ａ（ｃ）や図７Ａ（ｄ）のエリア指定例を示す画面中で、危険エリアとして指定されている部分をクリックして選択させることで、危険速度を設定するエリアを指定することができる。なお、エリアの指定後、危険速度を設定する指令を入力するようにしてもよい。また、指定エリアの他の条件設定後、危険速度を設定する指令を入力するようにしてもよい。エリアの指定後、保護者端末８のディスプレイ画面は、図７Ｂ（ｇ）の条件（速度）設定画面に遷移する。
【００６６】
図７Ｂ（ｇ）には、条件（速度）設定画面の一例が示されている。この条件（速度）設定画面には、「指定したエリアの危険速度と移動種別を設定してください」等の指示メッセージ、移動種別を設定する移動種別設定フィールドＦ８、指定されたエリアかつ移動種別の危険な速度を設定する速度設定フィールドＦ９、及び、指定エリア（ここでは、通学路ｍ２とする）を提示した地図イメージを示した表示ウィンドウＷが表示されている。なお、この図７Ｂ（ｇ）に示すように、「指定エリア」の名称等の個別識別名が表示される名称フィールドを表示させなくてもよい。
【００６７】
速度算出手段１８は、携帯型通信装置３から送信される信号に基づいて、現在時刻特定手段１６によって特定される現在時刻を基準にした単位時間当たりに移動した距離を算出して、現在位置における現在速度を算出し、危険エリア判定手段１２に算出結果を渡すものである。例えば、図７Ｂ（ｋ）に示すように、位置Ｘ０から位置Ｘ１に移動した場合、速度算出手段１８が、その間の距離と要した時間とから速度を算出する。この場合、例えば、保護対象Ｘが通常歩行を行う道ｍ２であれば、危険エリア判定手段１２は、現在速度が、記憶手段１９に記憶されている明らかに歩行ではない危険速度（例えば１０ｋｍ／ｈ）を超えたとき、乗り物９に乗車した可能性が高いため、保護者端末８に、その旨を通知する。これによって、例えば、保護対象Ｘとしての子供が、見知らぬ者に拉致された可能性を検出することもできる。
【００６８】
記憶手段１９は、保護対象追跡システム１が蓄積する各種データ等を保存するものである。各種データとしては、保護対象ＤＢ（DataBase）、エリアＤＢ、条件ＤＢ、行動記録ＤＢ、地図ＤＢ、周辺情報ＤＢ等がある。保護対象ＤＢには、保護対象Ｘに関する基礎的情報が含まれている。この基礎的情報には、保護対象Ｘの氏名、年齢等、及び、保護対象Ｘが所持する携帯型通信装置３の識別情報（タグＩＤ）が含まれている。危険エリア判定手段１２が、速度算出手段１８によって算出された現在速度と危険速度とを比較して、保護対象Ｘが危険な状況になる可能性のある速度か否かを判定する。さらに、この基礎的情報には、識別情報（ＩＤ）、パスワード（ＰＡＳＳ）等の保護者Ｙに関する情報も含まれている。
【００６９】
エリアＤＢには、エリア入力支援手段１３の処理によって保護者端末８から入力された危険エリアに関する情報が、保護対象ＤＢの対応する項目に対応付けてられている。例えば、保護者Ｙの氏名、保護対象Ｘの氏名、保護対象Ｘに所持される携帯型通信装置３の識別情報の３つの項目をキーとして、危険エリアに関する情報が対応付けられている。なお、危険エリアに関する情報としては、例えば、危険エリアを囲む座標値群、危険エリアを示す住所、危険エリアを示す建物名、危険エリアを示す
【００７０】
条件ＤＢには、危険度設定入力支援手段１４によって入力されたランク、危険時間設定入力支援手段１５によって入力された危険時間、及び、危険速度設定入力支援手段１７によって入力された危険速度が、指定された危険エリア（指定エリア）に対応付けられている。なお、ランクと指定エリアとが対応付けられ、危険時間と指定エリアとが対応付けられ、危険速度と指定エリアとが対応付けられるように、それぞれが独立して登録されていてもよい。
【００７１】
行動記録ＤＢは、保護対象追跡システム１が保護対象Ｘを追跡した履歴であり、現在追跡中のデータも逐次記録される。地図ＤＢは、日本全国や地域ごとの住宅地図を格納したものである。周辺情報ＤＢは、交通情報、工事情報、犯罪情報、天気情報等の種々の機関が発表する情報を蓄積したものである。
【００７２】
なお、記憶手段１９には、電力線通信のために、携帯型通信装置３の識別情報（タグ情報）、緯度・経度等の電柱４の位置情報、電柱４同士の間の距離情報、監視対象履歴情報等がさらに記憶されているものとする。
【００７３】
報知指示手段２０は、危険エリア判定手段１２から判定結果を受け取り、判定結果を受けて保護者Ｙに指示を促す指示メッセージとその判定結果とを含む報知指示情報を生成し、通信手段２１を介して、保護者端末８に報知するものである。通信手段２１は、外部との通信を制御するものである。周辺情報取得手段２２は、通信手段２１を介し、又は、キーボードやＯＣＲ（Optical Character Reader）等の入力装置（不図示）を介して周辺情報を取得し、記憶手段１９に蓄積する。
【００７４】
ここで、周辺情報について説明する。周辺情報としては、前記したように、交通情報、工事情報、犯罪情報、天気情報等が挙げられる。交通情報は、道路交通情報センターや警察等の機関から直接提供される渋滞や事故等に関する情報である。工事情報は、市役所等の機関から直接提供される道路工事や建築等に関する情報である。犯罪情報は、警察や町内会等から直接提供される誘拐・拉致やそれらの未遂等の発生現場や発生時間等に関する情報である。天気情報は、例えば、降水量が多いと予想される雨に関する情報を上げられる。この場合、川の洪水が予想されれば、その川の近辺を指定エリアとして保護対象Ｘが近づかないようにすることが考えられる。
【００７５】
なお、各機関のコンピュータ（不図示）と保護対象追跡システム１とが通信可能に接続し、各機関のコンピュータが保護対象追跡システム１に自動的に配信させるようにすることが好ましい。しかし、保護対象追跡システム１のオペレータが、各機関に電話等で問い合わせを行って、定期的に更新するようにしてもよい。
【００７６】
それでは、図４から図６までのフローチャートに基づいて、選択指示処理、入力支援処理、追跡処理の流れを説明する。なお、保護者Ｙが保護者端末８から保護対象追跡システム１にアクセスすると、保護対象追跡システム１では、選択指示手段１１が選択指示処理を実行する。
【００７７】
図４は、実施形態の選択指示処理を示すフローチャートである。まず、選択指示手段１１は、初期選択画面の表示指令（ＳＡ１）を生成し、初期画面と表示指令とを通信手段２１によって、アクセス先の保護者端末８に応答する。選択指示手段１１は、保護者端末８からの指示入力が有るか否かを判定し（ＳＡ２）、その指示入力が無ければその指示入力を待ち続け（ＳＡ２、Ｎｏ）、指示入力が有れば（ＳＡ２、Ｙｅｓ）、その指示が入力支援処理であれば（ＳＡ３、Ｙｅｓ）、エリア入力支援手段１３に処理の開始を指示し、図５に示す入力支援処理に移行させる。また、その指示が入力支援処理ではなく（ＳＡ３、Ｎｏ）、追跡処理であれば（ＳＡ４、Ｙｅｓ）、危険エリア判定手段１２に処理の開始を指示し、図６に示す追跡処理に移行させる。なお、もし、追跡処理でもなければ（ＳＡ４、Ｎｏ）、他の処理へ移行する。
【００７８】
図５は、実施形態の入力支援処理を示すフローチャートである。
エリア入力支援手段１３は、前記したように、エリア入力画面（図７Ａ（ｂ）参照）を保護者端末８のディスプレイ画面に表示させる。つまり、エリア入力支援手段１３は、保護者端末８に向けて、エリア入力画面の表示指令を送信する（ＳＢ１）。そして、エリア入力支援手段１３は、前記したように、保護者端末８での保護エリアと危険エリアとの入力を支援し、保護者端末８から入力情報を受け取って、保護エリアと危険エリアとを記憶手段１９のエリアＤＢに登録する（ＳＢ２）。
【００７９】
次に、エリア入力支援手段１３は、保護者端末８のディスプレイ画面に条件設定画面を表示させる（ＳＢ３）。ここでは、危険度、危険時間、危険速度の順に条件設定することとして説明するが、これらの処理の順番は、これに限らず任意である。なお、図７Ａ（ｅ）に示した条件（ランク）設定画面、図７Ａ（ｆ）に示した条件（時間）設定画面、及び、図７Ｂ（ｇ）に示した条件（速度）設定画面は、一画面中に表示されていてもよいので、この実施形態では、一画面中にすべての設定画面に関する情報が表示されていることとして説明する。
【００８０】
まず、危険度設定入力支援手段１４は、保護者端末８において危険度が設定入力されているか否かを判定する（ＳＢ４）。つまり、危険度設定入力支援手段１４は、ランクが設定されていれば（ＳＢ４、Ｙｅｓ）、前記したように、条件（ランク）設定画面を保護者端末８のディスプレイ画面に表示させる。これによって、危険度設定入力支援手段１４は、保護者端末８でのランクの入力を支援し、そのランクの入力情報を保護者端末８から受け取ると、指定エリアに対応付けて記憶手段１９に、その入力情報（危険度）を設定・登録する（ＳＢ５）。なお、危険度設定入力支援手段１４は、ランクが設定されていない場合（ＳＢ４、Ｎｏ）、及び、ＳＢ５の処理完了した場合には、危険時間設定入力支援手段１５の処理であるＳＢ６に移行する。
【００８１】
次に、危険時間設定入力支援手段１５は、保護者端末８において危険時間が設定入力されているか否かを判定する（ＳＢ６）。つまり、危険時間設定入力支援手段１４は、危険時間が設定されていれば（ＳＢ６、Ｙｅｓ）、前記したように、条件（時間）設定画面を保護者端末８のディスプレイ画面に表示させる。これによって、危険時間設定入力支援手段１５は、保護者端末８での危険時間の入力を支援し、その危険時間の入力情報を保護者端末８から受け取ると、指定エリアに対応付けて記憶手段１９に、その入力情報（危険時間）を設定・登録する（ＳＢ７）。なお、危険時間設定入力支援手段１４は、危険時間が設定されていない場合（ＳＢ６、Ｎｏ）、及び、ＳＢ７の処理を完了した場合には、危険速度設定入力支援手段１７の処理であるＳＢ８の処理に移行する。
【００８２】
次に、危険速度設定入力支援手段１７は、保護者端末８において危険速度が設定入力されているか否かを判定する（ＳＢ８）。つまり、危険速度設定入力支援手段１７は、危険速度が設定されていれば（ＳＢ８、Ｙｅｓ）、前記したように、条件（速度）設定画面を保護者端末８のディスプレイ画面に表示させる。これによって、危険速度設定入力支援手段１７は、保護者端末８での危険速度の入力を支援し、その危険速度の入力情報を保護者端末８から受け取ると、指定エリアに対応付けて記憶手段１９に、その入力情報（危険速度）を設定・登録する（ＳＢ９）。なお、危険速度設定入力支援手段１７は、危険速度が設定されていない場合（ＳＢ８、Ｎｏ）、及び、ＳＢ９の処理完了した場合には、処理を最初に戻し、他の指定エリアの条件設定に移行する。
【００８３】
図６は、実施形態の追跡処理を示すフローチャートである。保護対象追跡システム１は、保護者端末８から開始指令を受け付けると（ＳＣ１）、記憶手段１９から追跡に必要な情報を取得する（ＳＣ２）。なお、開始指令には、ＩＤやパスワードなども付随しているものとする。そのため、ＩＤやパスワードをキーとして、保護対象ＤＢ、エリアＤＢ、条件ＤＢ等から保護対象Ｘを追跡するのに必要な情報を取得する。なお、周辺情報ＤＢが更新されているような場合、新たな周辺情報、例えば、火災情報を取得して、火災発生現場をランクＡの危険度として設定して、エリアＤＢに自動的に反映させるようにしてもよい。
【００８４】
現在位置推定手段１０は、携帯型通信装置３からの信号の受信を待機し、その信号を受信すると（ＳＣ３）、前記のように現在位置を推定し（ＳＣ４）、地図イメージ上の座標値を生成する（ＳＣ５）。危険エリア判定手段１２は、生成された地図イメージを受け取り、先に取得されている追跡に必要な情報を参照して、危険度の判定（ＳＣ６）、危険時間の判定（ＳＣ７）、危険速度の判定（ＳＣ８）を行う。危険エリア判定手段１２は、各判定結果を受けて保護対象Ｘが危険な状態か否かを判定し（ＳＣ９）、追跡情報表示画面を生成する。
【００８５】
追跡情報表示画面には、例えば、図７Ｂ（ｊ）に示すように、「危険です。注意してください」等のメッセージと、表示ウィンドウＷとが描かれる。この表示ウィンドウＷには、学校ｍ３から道ｍ２を通り、道ｍ８を通って、塾ｍ７に向かっている様子が提示されている。図７Ｂ（ｊ）中、「●」印が、推定位置の履歴である。つまり、図７Ｂ（ｊ）の場合、保護対象Ｘが領域ｍ４の中にいて、塾ｍ７に向かっている途中であることが分かる。ところで、領域ｍ５は、Ｂのランクであって、Ａのランクの工事中の敷地ｍ１に近いことが分かる。そのため、保護者Ｙは保護対象Ｘを敷地ｍ１に近づけないように誘導する必要がある。
【００８６】
そのため、報知指示手段２０は、危険エリア判定手段１２から各判定結果を受け取り、危険な状態のときには（ＳＣ９、Ｙｅｓ）危険報知指令を生成し（ＳＣ１０）、危険な状態でないときには（ＳＣ９、Ｎｏ）安全報知指令を生成する（ＳＣ１１）。そして、報知指示手段２０は、更新された地図イメージに、危険報知指令又は安全報知指令を対応付け、報知情報として生成し、保護者端末８に報知情報を送信し（ＳＣ１２）、最初の処理に戻る。
【００８７】
ところで、図７Ｂ（ｋ）に示すように、工事中の敷地ｍ１が道ｍ５に隣接している場合に、道ｍ５内での位置を細かく推定できるとき、保護対象Ｘが、図７Ｂ（ｋ）中、左から右に移動して、塾ｍ７に行く途中であるとする。つまり、保護対象Ｘは、位置Ｘ０からＥ１方向に移動して位置Ｘ１まで移動した履歴がある場合、位置Ｘ１からＥ２方向に移動して位置Ｘ２にいる可能性が高い。ところが、保護対象Ｘが、Ｅ３方向に移動して、位置Ｘ２ではなく、位置Ｘ３にいた場合、位置Ｘ１から位置Ｘ３に移動したことになる。そのため、保護対象Ｘが敷地ｍ１に向かって近づいていると推定できる。
【００８８】
そして、もし、保護対象Ｘが、位置Ｘ３からＥ４方向に移動したとしたら、Ａランクの危険エリアである敷地ｍ１内に進入してしまうことになる。そこで、位置Ｘ１からＥ３方向に移動して位置Ｘ３にいたときには、保護対象ＸがＡランクの危険エリアに進入しないように、保護対象追跡システム１が保護者端末８にその旨の報知情報として通知するため、保護者Ｙが電話等の通信手段で保護対象Ｘに注意を促すことが可能になる。そのため、保護対象Ｘが危険な場所に入ってしまうのを未然に防止することができるようになる。
【００８９】
以上説明したように、この実施形態では、保護対象Ｘが危険な場所である危険エリアに進入してしまうのを未然に防止することができるようになる。また、保護者Ｙが危険エリアを自由に設定することが可能になる。
【００９０】
なお、この実施形態では、携帯型通信装置３を追跡するために、電力線通信網２を用いた場合を示したが、これに限らない。例えば、電柱、信号機、街灯、交通標識、建物などにアクセスポイントとなるアンテナを設置して、携帯型通信装置３から発信される電波の電界強度がいずれのアンテナで最大値を示すかによって、携帯型通信装置３がいずれのアンテナの近くに存在するのかを判定して、携帯型通信装置３を所持する保護対象Ｘを追跡するようにしてもよい。この場合、保護対象追跡サービスを提供する地域ごとにアンテナを電柱等に設置しておく必要がある。また、電力線通信網２や前記アンテナを利用せずに、ＧＰＳ機能を利用して携帯型通信装置３の位置を追跡してもよい。
【図面の簡単な説明】
【００９１】
【図１】実施形態の保護対象追跡システムが接続する保護対象追跡ネットワークの概念を示す説明図である。
【図２】図１に示した電力線通信網の概念図である。
【図３】図１に示した保護対象追跡システムの機能構成を示すブロック図である。
【図４】実施形態の選択指示処理を示すフローチャートである。
【図５】実施形態の入力支援処理を示すフローチャートである。
【図６】実施形態の追跡処理を示すフローチャートである。
【図７Ａ】保護者端末に表示するディスプレイ画面の一例を示す図である。（ａ）は初期選択画面の一例を示す図である。（ｂ）はエリア入力画面の一例を示す図である。（ｃ）はエリア指定例を示す図である。（ｄ）はエリア指定例を示す図である。（ｅ）は条件（ランク）設定画面の一例を示す図である。（ｆ）は条件（時間）設定画面の一例を示す図である。
【図７Ｂ】保護者端末に表示するディスプレイ画面の一例を示す図である。（ｇ）は条件（速度）設定画面の一例を示す図である。（ｈ）は他の予定経路追加例の画面を示す図である。（ｉ）ランク表示例を示す図である。（ｊ）追跡情報表示画面の一例を示す図である。（ｋ）は追跡情報拡大表示例の画面を示す図である。
【符号の説明】
【００９２】
１      保護対象追跡システム
２      電力線通信網
３      携帯型通信装置
４      電柱
５      電力線
６      変圧器
７      公衆網
８      保護者端末
９      乗り物
１０    現在位置推定手段
１１    選択指示手段
１２    危険エリア判定手段
１３    エリア入力支援手段
１４    危険度設定入力支援手段
１５    危険時間設定入力支援手段
１６    現在位置特定手段
１７    危険速度設定入力支援手段
１８    速度算出手段
１９    記憶手段
２０    報知指示手段
２１    通信手段
２２    周辺情報取得手段
Ｘ      保護対象
Ｙ      保護者
【図１】
2009064222.tif 000003
【図２】
2009064222.tif 000004
【図３】
2009064222.tif 000005
【図４】
2009064222.tif 000006
【図５】
2009064222.tif 000007
【図６】
2009064222.tif 000008
【図７Ａ】
2009064222.tif 000009
【図７Ｂ】
2009064222.tif 000010